(57)【要約】【課題】光ディスクの読み込みエラーの原因を判別することができる光ディスク装置を提供する。【解決手段】光ディスクに対して、光ピックアップユニットからレーザ光を発光させて光ディスクに記録されたデータ情報を読み込む光ディスク装置であって、表示部と、ユーザーのデータ情報の読み込み操作によって、光ディスクの所定アドレスからのデータ情報の読み込みが指示され、光ディスクからデータ情報の読み込みが出来ない場合に、所定アドレスの情報を表示部に表示させる制御部とを備える。【選択図】図２
2018005965.tif 000002
【特許請求の範囲】
【請求項１】
光ディスクに対して、光ピックアップユニットからレーザ光を発光させて前記光ディスクに記録されたデータ情報を読み込む光ディスク装置であって、
表示部と、
ユーザーのデータ情報の読み込み操作によって、前記光ディスクの所定アドレスからのデータ情報の読み込みが指示され、前記光ディスクからデータ情報の読み込みが出来ない場合に、前記所定アドレスの情報を前記表示部に表示させる制御部とを備える光ディスク装置。
【請求項２】
前記制御部は、
前記光ディスクに記録されたデータ情報を読み込んだＲＦ信号の波形の大きさを利用して、光ディスクの読み込み不可の際の原因を判別する請求項１に記載の光ディスク装置。
【請求項３】
前記制御部は、
前記光ディスクの読み込みが正常に出来た際の前記ＲＦ信号に比べて、小さくなっている割合を落ち込み率とし、前記落ち込み率が所定値よりも大きい場合には、前記光ディスク上に傷があると判別し、前記落ち込み率が所定値よりも小さい場合には、前記光ディスク上に汚れがあると判別する請求項２に記載の光ディスク装置。
【請求項４】
前記制御部は、
前記光ディスクの所定枚数毎に、ピックアップ信号レベルの平均値を算出し、前記平均値が所定の閾値以下となった場合、光ピックアップユニットの汚損を判別する請求項３に記載の光ディスク装置。
【請求項５】
前記制御部は、
前記光ディスクの内周におけるフォーカス駆動電圧と前記光ディスクの外周におけるフォーカス駆動電圧の差が所定値よりも大きい場合には、前記光ディスクに反りがあると判別する請求項４に記載の光ディスク装置。
【請求項６】
前記制御部は、
前記光ディスク上の汚れ、前記光ディスク上の傷、前記光ピックアップユニットの汚れ、前記光ディスク反りのいずれかを判別した場合、前記光ディスクの読み込みエラー情報として、前記表示部にまとめて表示する請求項５に記載の光ディスク装置。
【発明の詳細な説明】
【技術分野】
【０００１】
本発明の実施形態は、光ディスクの読み込みエラーの原因を判別する光ディスク装置に関する。
【背景技術】
【０００２】
光ディスク装置では、光ディスクからデータが読み込めない状況となった場合、再生を停止し、「光ディスクエラー」や「読み込みエラー」等の表示をすることで再生不可であることをユーザーに示していた。
【０００３】
ユーザーは具体的なエラー原因が分からず、光ディスクの汚れや傷が原因なのか、光ピックアップユニットの汚れが原因なのかを判断することが出来なかった。
【０００４】
この為、ときとして光ディスク装置自体の不具合として誤認識される事例も発生するという問題があった。
【先行技術文献】
【特許文献】
【０００５】
【特許文献１】特許第３８２５３０２号公報
【特許文献２】特許第４４３４０８５号公報
【発明の概要】
【発明が解決しようとする課題】
【０００６】
本発明が解決しようとする課題は、光ディスクの読み込みエラーの原因を判別することができる光ディスク装置を提供することである。
【課題を解決するための手段】
【０００７】
実施形態の光ディスク装置は、光ディスクに対して、光ピックアップユニットからレーザ光を発光させて前記光ディスクに記録されたデータ情報を読み込む光ディスク装置であって、表示部と、ユーザーのデータ情報の読み込み操作によって、前記光ディスクの所定アドレスからのデータ情報の読み込みが指示され、前記光ディスクからデータ情報の読み込みが出来ない場合に、前記所定アドレスの情報を前記表示部に表示させる制御部とを備える。
【図面の簡単な説明】
【０００８】
【図１】本発明の実施形態に係る光ディスク装置の全体配置を示す概略図である。
【図２】光ディスクの読み込みエラーの原因を説明する図である。
【発明を実施するための形態】
【０００９】
以下、本発明の一実施の形態について、図面を参照して説明する。
【００１０】
図１は、本発明の実施形態に係る光ディスク装置の構成例を示す図である。図１に示すように、本発明の実施形態に係る光ディスク装置１００は、スロットローディング式のもので、ディスク１はＣＤディスク、ＤＶＤディスク等の光ディスクである。
【００１１】
光ディスク１は、ディスク挿入口から光ディスク装置１００に挿入される。いずれも詳細は図示しないが、搬送ローラ及びガイド部材等から成るディスク搬送機構によりターンテーブルの上方まで搬送される。次いで、チャッキング機構によりターンテーブル上にチャッキングされた後、スピンドルモータ２、ドライバ回路３によってターンテーブルが回転され、情報の再生あるいは記録が行われる。
【００１２】
光ピックアップユニット４に搭載されたレーザダイオード５から発光された光はビームスプリッタ６、球面収差補正機構７を経由し、対物レンズ８により、光ディスク１上のデータ記録面に集光される。
【００１３】
そして、光ディスク１に集光された光はデータ記録面で反射され、その反射光は再度対物レンズ８、球面収差補正機構７、ビームスプリッタ６を通過した後、受光素子９に入る。受光素子９は、４つの光を検出するセル（図示せず）を有する４分割ディテクタとして構成されている。制御部１０は、光ピックアップユニット４で読取った再生データ信号であるＲＦ信号が供給されるＲＦアンプ（図示せず）と、ＲＦアンプで増幅された信号が供給されるＤＳＰ（デジタル・シグナルプロセッサ）（図示せず）を有している。
【００１４】
制御部１０は入力された信号を処理し、インターフェース１１を通じて外部接続機器との通信を行ったり、ドライバ回路３にフィードバックし、スピンドルモータ２や光ピックアップユニット４、光ディスク１のロード用モータ１２の制御を行っている。ロード用モータ１２は、例えば、ＤＣモータが好適である。
【００１５】
光ピックアップユニット４からの読み込み信号は、受光素子９にて電気信号（ＲＦ信号）に変換され、その電気信号（ＲＦ信号）は、制御部１０のＲＦアンプに入力される。
【００１６】
ＲＦアンプは、受光素子９の光検出セルの各信号を増幅して加算・減算を行い、トラッキングエラー信号、フォーカスエラー信号、ＲＦ信号、ミラー（ＭＩＲＲ）信号を生成して出力する。
【００１７】
トラッキングエラー信号とフォーカスエラー信号は、光ディスクのサーボ信号で対物レンズ８のトラッキングおよびフォーカシングのサーボ動作を行うための信号である。
【００１８】
フォーカスエラー信号は、対物レンズ８から出射される光ビームスポットと光ディスク１の記録面との焦点方向のずれを示す信号である。光ディスク１の情報記録層のトラック上にレーザ光の焦点が結ばれた場合に、対物レンズ８は合焦位置にあり、フォーカスエラー信号の電圧は基準電圧である。また、対物レンズ８を合焦位置から光ディスク１に対して接近させていくと、フォーカスエラー信号の電圧は徐々に減少してピークに達し、その後は増加方向に転じて合焦範囲を外れると検出外電圧となる。逆に、対物レンズ８を合焦位置から光ディスク１に対して遠ざけると、フォーカスエラー信号の電圧は徐々に増加してピークに達し、その後は減少方向に転じて合焦範囲を外れると検出外電圧となる。このように、フォーカスエラー信号がＳ字状に変化する特性を利用して対物レンズ８に対してフォーカス誤差が減少するようにフォーカス方向にサーボをかけている。
【００１９】
トラッキングエラー信号は、光ビームスポットと光ディスク１の情報トラックの光ディスク１半径方向のずれを示すである。また、制御部１０は、トラッキングエラー信号の低域成分を取り出すことにより、対物レンズ８のレンズ位置信号を生成する。
【００２０】
ドライバ回路３は、光ビームスポットが光ディスク１の情報トラックに追従するように対物レンズ８をフォーカス制御およびトラッキング制御し、さらにトラッキングエラー信号の低域成分を用いて対物レンズ８が略中立位置を保持するようにフィード制御を行う。制御部１０は、このように構成されたドライバ回路３のサーボ系全体のコントロールを行う。
【００２１】
ＲＦ信号は読み込んだデータ情報の再生データ信号で、ＭＩＲＲ信号はＲＦ信号の包絡線（エンベロープ）を示す信号である。
【００２２】
光検出セルの出力をそれぞれａ、ｂ、ｃ、ｄとすると、ＲＦアンプは、ＲＦ＝ａ＋ｂ＋ｃ＋ｄなる信号により高周波のＲＦ信号を生成する。
【００２３】
同様にＲＦアンプはＦＥ＝（ａ＋ｃ）−（ｂ＋ｄ）なる信号によりフォーカスエラー信号ＦＥを生成し、また、ＴＥ＝（ａ＋ｂ）−（ｃ＋ｄ）なる信号によりトラッキングエラー信号ＴＥを生成する。
【００２４】
ミラー（ＭＩＲＲ）信号は、ＲＦ波形のピークとボトムを検知し（ピーク）−（ボトム）の演算をすることで作成される。
【００２５】
光ディスク装置１００におけるＲＦ波形の振幅調整は、ミラー（ＭＩＲＲ）信号を基に目標となるＲＦ波形の振幅値を目指して調整を行うものであり、具体的には、ＤＳＰ内にあるＡＤ変換器(図示せず)で現状のミラー（ＭＩＲＲ）信号レベルを読み取り、前もって設定された目標値と比較を行い、その結果をもとにしてＲＦアンプにおけるＲＦ波形の振幅を調整する。
【００２６】
ＲＦアンプで増幅処理されたＲＦ信号は、制御部１０内でデジタル変換された後、ＤＳＰに供給される。
【００２７】
次に、制御部１０による光ディスク１からデータ情報の読み込みが出来ない状況における原因の判別処理の制御について詳述する。
【００２８】
図２は、光ディスク１の読み込みエラーの原因を説明する図である。本実施形態において、制御部１０は、光ディスク１の読み込みアドレス情報とＲＦ信号の波形情報などを利用して、光ディスク１からの読み込みエラーの状況に応じて読み込みエラーの原因を判別する。図２中、Ａは光ディスク１上に汚れがある場合を示し、Ｂは光ディスク１上に傷がある場合を示し、Ｃは光ピックアップユニット４に汚れがある場合を示し、Ｄは光ディスク１に反りがある場合を示している。
【００２９】
＜読み込み不可位置＞
ユーザー操作等に従って所定のアドレスからのデータ情報の読み込みが指示されたにもかかわらず、光ディスク１からデータ情報の読み込みが出来なかった場合に、当該読み込みアドレス情報は、光ディスク１上の読み込み不可位置として把握される。所定のアドレスからのデータ情報の読み込みが出来ない場合、光ディスク装置１００に備えた表示部１３に、その旨を表示させるのが好適である。例えば、表示部１３に「○○○番地は、読み込めません」と表示させる。さらに、以下に詳述する“光ディスクの傷・汚れ”、“光ピックアップユニットの汚れ”、“光ディスクの反り”の原因も併せて表示させるのが好適である。
【００３０】
＜光ディスクの傷・汚れ＞
ＲＦ信号は、光ディスク１に記録されたデータ情報を読みだしたものであるから、ＲＦ信号の波形の大きさを利用して、光ディスク１の読み込み不可の際の原因を判別することが可能である。光ディスク１の読み込みが正常に行えなかった場合、その際のＲＦ信号の大きさは、光ディスク１の読み込みが正常に出来た場合に比べて小さくなっている。ここで、光ディスク１の読み込みが正常に出来た際のＲＦ信号に比べて、小さくなっている割合を「落ち込み率」と定義すると、落ち込み率が所定値よりも大きい場合には、光ディスク１上に“傷がある”と判別する。例えば、表示部１３に「光ディスク上に、傷があります」と表示させる。また、落ち込み率が所定値よりも小さい場合には、光ディスク１上に“汚れがある”と判別する。例えば、表示部１３に「光ディスク上に、汚れがあります」と表示させる。尚、落ち込み率の大小は、不具合のある光ディスク１の実測値を参考にして所定値を設定することができる。光ディスク１上に傷または汚れがある場合に、光ディスク１のどの位置に傷または汚れがあるのかを、ユーザーに知らしめるのが好適である。そこで、光ディスク１の読み込みが行えなかったアドレス情報は取得できているので、図２に示すように、模式的に、当該位置を表示する。図２に示す例では、光ディスク１の特定のアドレスが上方になるように図示し、これを基準に光ディスク１上でのエラー位置を示している。
【００３１】
＜光ピックアップユニットの汚れ＞
光ディスク装置１００に搭載された光ピックアップユニット４は、長時間の使用を重ねることにより、汚損されてくる。そこで、定期的にクリーニングすることが望ましいが、それでも経年変化による汚れは防ぎきれない。光ピックアップユニット４が汚れてくると、当然、データ情報の読み込みが行えなくなる。
【００３２】
そこで、再生を重ねる光ディスク１の所定枚数毎に、ピックアップ信号レベルの平均値を算出し、平均値の変動を利用して、光ピックアップユニット４の汚れの状態を判別して表示することが好適である。例えば、最初の１０枚の平均値、次の１０枚の平均値、次の１０枚の平均値をそれぞれ保持しく。所定の閾値以下となった場合には、例えば、表示部１３に「光ピックアップユニットが汚れています」と表示させ、ユーザーに対して、光ピックアップユニット４のクリーニングを促す。
【００３３】
＜光ディスクの反り＞
光ディスク１に反りがある場合にも、光ディスク１の読み取りエラーが発生する。そこで、本実施形態では、光ディスク１の内周におけるフォーカス駆動電圧と光ディスク１の外周におけるフォーカス駆動電圧の差に基づいて光ディスク１の反りの状態を判別する。
【００３４】
内周と外周の双方のフォーカス駆動電圧差が所定値よりも大きい場合には、光ディスク１に“反りがある”と判別する。例えば、表示部１３に「光ディスクが反っています」と表示させる。
【００３５】
一方、内周と外周の双方のフォーカス駆動電圧差が所定値よりも小さい場合には、光ディスク１は“平面である”と判別する。光ディスク１が“平面である”場合には、他の要因によって光ディスク１の読み込みが出来ないと推定できる。
【００３６】
以上説明してきたように、本実施形態によれば、光ディスクの読み込みエラーの原因を判別することができるので、ユーザーに対して、光ディスクの拭き取りや、ピックアップの清掃等の適切な処置を促すことができる。
【００３７】
本発明のいくつかの実施形態を説明したが、これらの実施形態は、例として表示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１・・・光ディスク
２・・・スピンドルモータ
３・・・ドライバ回路
４・・・光ピックアップユニット
５・・・レーザダイオード
６・・・ビームスプリッタ
７・・・球面収差補正機構
８・・・対物レンズ
９・・・受光素子
１０・・・制御部
１１・・・インターフェース
１２・・・モータ
１３・・・表示部
１００・・・光ディスク装置
【図１】
2018005965.tif 000003
【図２】
2018005965.tif 000004